(57)【要約】【課題】測定結果が適切に反映された血圧の代表値を算出すること。【解決手段】血圧管理装置は、血圧の測定値を取得する取得部と、血圧の変動特性に基づいて、複数の機会を含む単位測定期間を設定する設定部と、前記単位測定期間内において、２回目の測定が１回目の測定とは異なる機会に行われた場合に、第１測定値と第２測定値の両方を用いて、前記単位測定期間についての前記代表値を算出する、算出部と、を備える。【選択図】      図１
2019201992.tif 000002
【特許請求の範囲】
【請求項１】
血圧の測定によって得られる測定値を取得する取得部と、
血圧の変動特性に基づいて、複数の機会を含む単位測定期間を設定する設定部と、
前記測定値に基づいて、前記単位測定期間についての前記血圧の代表値を算出する算出部であって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出する、算出部と、
を備える、血圧管理装置。
【請求項２】
前記算出部は、１機会の測定行動に要する代表的な時間に基づいて、前記１回目の測定と前記２回目の測定が同一の機会に行われたか否かを判断する、請求項１に記載の血圧管理装置。
【請求項３】
前記算出部は、前記単位測定期間内において前記１回目の測定と前記２回目の測定が１０分以内に行われた場合に、前記１回目の測定と前記２回目の測定が同一の機会に行われたと判断する、請求項２に記載の血圧管理装置。
【請求項４】
前記算出部は、前記単位測定期間内において前記２回目の測定が前記１回目の測定と同一の機会に行われ、かつ、前記単位測定期間内において３回目の測定が前記１回目の測定とは異なる機会に行われた場合に、前記第１測定値と、前記第２測定値のみを用いて、前記単位測定期間についての前記代表値を算出する、請求項１に記載の血圧管理装置。
【請求項５】
前記算出部は、前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出する、請求項１に記載の血圧管理装置。
【請求項６】
前記算出部は、前記単位測定期間内において前記２回目の測定が前記１回目の測定とは異なる機会に行われ、かつ、前記単位測定期間内において３回目の測定が前記２回目の測定と同一の機会に行われた場合に、前記第１測定値、前記第２測定値、及び、前記３回目の測定により得られた第３測定値を用いて、前記代表値を算出する、請求項１に記載の血圧管理装置。
【請求項７】
前記算出部は、前記単位測定期間内における４回目以降の測定によって得られた測定値を、前記代表値の算出に用いない、請求項１に記載の血圧管理装置。
【請求項８】
前記設定部は、前記単位測定期間を複数設定することにより、１日を複数の前記単位測定期間に分割する、請求項１に記載の血圧管理装置。
【請求項９】
前記設定部は、前記１回目の測定の測定時刻に基づいて、前記単位測定期間の終了時刻を設定する、請求項１に記載の血圧管理装置。
【請求項１０】
前記設定部は、前記単位測定期間として１５時間以下の期間を設定する、請求項１に記載の血圧管理装置。
【請求項１１】
前記取得部は、起床時刻をさらに取得し、
前記設定部は、前記起床時刻を単位測定期間の開始時刻として設定し、前記起床時刻に基づいて、前記単位測定期間の終了時刻を設定する、請求項１に記載の血圧管理装置。
【請求項１２】
前記算出部による前記代表値の前記算出では、前記第１測定値の取得時から前記第２測定値の取得を待機する状態を終了するまでの最大の時間は、前記第２測定値の取得時から前記単位測定期間内において３回目の測定により得られた第３測定値の取得を待機する状態を終了するまでの最大の時間よりも長い、請求項１に記載の血圧管理装置。
【請求項１３】
請求項１の血圧管理装置と、血圧センサと、表示部と、をさらに備える、血圧管理装置。
【請求項１４】
請求項１乃至請求項１３のいずれか１項に記載の血圧管理装置が備える各部の機能をプロセッサに実行させる、血圧管理プログラム。
【請求項１５】
血圧の測定によって得られる測定値を取得することと、
血圧の変動特性に基づいて、複数の機会を含む単位測定期間を設定することと、
前記測定値に基づいて、前記単位測定期間についての前記血圧の代表値を算出することであって、
前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出することと、
を備える、血圧管理方法。
【発明の詳細な説明】
【技術分野】
【０００１】
この発明は、複数の血圧値から血圧の代表値を算出する血圧管理装置、血圧管理方法及び血圧管理プログラムに関する。
【背景技術】
【０００２】
特許文献１には、連続した血圧測定により複数の測定値を取得し、その測定値の代表値を算出する血圧測定装置が開示されている。この血圧測定装置では、取得した測定値のうち、同一機会（例えば１０分）内に測定された測定値を抽出する。そして、抽出した測定値の平均値を、血圧の代表値として表示する。
【先行技術文献】
【特許文献】
【０００３】
【特許文献１】特開２０１３−１６５８１２号公報
【発明の概要】
【発明が解決しようとする課題】
【０００４】
血圧は、測定時刻、測定環境、測定状況等によって変動する。例えば、起床後の測定によって得られる測定値は、測定者の体調等を的確に判断するために有用である。このため、起床後の測定値のような有用な測定値が、血圧の代表値に適切に反映されることが求められている。
【０００５】
例えば、特許文献１の血圧測定装置では、特定の期間における代表値の算出において、２回目の測定が１回目の測定と異なる機会に行われた場合には、２回目の測定結果が血圧の代表値に反映されない。
【０００６】
本発明は、上記事情に着目してなされたものであり、その目的とするところは、有用な測定結果が適切に反映された血圧の代表値を算出可能な、血圧管理装置、血圧管理方法及び血圧管理プログラムを提供することにある。
【課題を解決するための手段】
【０００７】
本発明は、上述した課題を解決するために、以下の構成を採用する。
【０００８】
すなわち、本開示の一例に係る血圧管理装置は、血圧の測定によって得られる測定値を取得する取得部と、血圧の変動特性に基づいて、複数の機会を含む単位測定期間を設定する設定部と、前記測定値に基づいて、前記単位測定期間についての前記血圧の代表値を算出する算出部であって、前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出する、算出部と、を備える。
【０００９】
１機会には、１回以上の測定を含む一連の測定行動が行われる。１機会において、例えば、血圧の測定のための準備を開始してから、連続した複数回の血圧の測定を終えるまでの一連の行動が行われる。同一の機会に行われた測定は、例えば、１０分以内に行われた測定である。また、血圧の代表値は、複数の測定値を用いて算出され、例えば、複数の測定値の平均値、中間値等である。
【００１０】
上記構成によれば、例えば、特定の単位測定期間において２回目の測定が行われた場合には、２回目の測定が１回目の測定とは異なる機会に行われた場合であっても、１回目の測定結果及び２回目の測定結果を用いて、血圧の代表値を算出する。このため、２回目の測定が１回目の測定とは異なる機会に行われた場合であっても、規定数を満たし、かつ、有用な測定結果が適切に反映された、血圧の代表値を得ることができる。
【００１１】
上記一例に係る血圧管理装置において、前記算出部は、１機会の測定行動に要する代表的な時間に基づいて、前記１回目の測定と前記２回目の測定が同一の機会に行われたか否かを判断する。
【００１２】
上記一例に係る血圧管理装置において、前記算出部は、前記単位測定期間内において前記１回目の測定と前記２回目の測定が１０分以内に行われた場合に、前記１回目の測定と前記２回目の測定が同一の機会に行われたと判断する。
【００１３】
上記一例に係る血圧管理装置において、前記算出部は、前記単位測定期間内において前記２回目の測定が前記１回目の測定と同一の機会に行われ、かつ、前記単位測定期間内において３回目の測定が前記１回目の測定とは異なる機会に行われた場合に、前記第１測定値と、前記第２測定値のみを用いて、前記単位測定期間についての前記代表値を算出する。
【００１４】
上記一例に係る血圧管理装置において、前記算出部は、前記単位測定期間内において前記２回目の測定が前記１回目の測定とは異なる機会に行われ、かつ、前記単位測定期間内において３回目の測定が前記２回目の測定と異なる機会に行われた場合に、前記第１測定値と前記第２測定値のみを用いて、前記代表値を算出する。
【００１５】
上記一例に係る血圧管理装置において、前記算出部は、前記単位測定期間内において前記２回目の測定が前記１回目の測定とは異なる機会に行われ、かつ、前記単位測定期間内において３回目の測定が前記２回目の測定と同一の機会に行われた場合に、前記第１測定値、前記第２測定値、及び、前記３回目の測定により得られた第３測定値を用いて、前記代表値を算出する。
【００１６】
上記一例に係る血圧管理装置において、前記算出部は、前記単位測定期間内における４回目以降の測定によって得られた測定値を、前記代表値の算出に用いない。
【００１７】
上記構成によれば、特定の単位測定期間において血圧測定が４回以上行われた場合には、４回目以降の測定結果は、代表値に反映されない。これにより、血圧の代表値の算出を効率的に行うことができる。
【００１８】
上記一例に係る血圧管理装置において、前記設定部は、前記単位測定期間を複数設定することにより、１日を複数の前記単位測定期間に分割する。
【００１９】
上記構成によれば、１日（特定の時刻から次の日の同時刻までの２４時間）のうち、いずれの単位測定期間にも該当しない時間は存在しない。すなわち、１日のうち全ての時刻が、いずれかの単位測定期間に含まれる。このため、いつ測定が行われても、測定結果が代表値の該当の単位測定期間における代表値に反映される。したがって、様々な生活習慣の測定者に対しても、有用な測定結果が適切に反映された血圧の代表値を算出することができる。
【００２０】
上記一例に係る血圧管理装置において、前記設定部は、前記１回目の測定の測定時刻に基づいて、前記単位測定期間の終了時刻を設定する。
【００２１】
上記構成によれば、測定情報に基づいて単位測定期間を設定することにより、測定者の生活習慣が一定でない場合においても、起床時の測定値のような有用な測定結果が適切に反映された、血圧の代表値を算出することができる。
【００２２】
上記一例に係る血圧管理装置において、前記設定部は、前記単位測定期間として１５時間以下の期間を設定する。
【００２３】
上記一例に係る血圧管理装置において、前記取得部は、起床時刻をさらに取得し、前記設定部は、前記起床時刻を単位測定期間の開始時刻として設定し、前記起床時刻に基づいて、前記単位測定期間の終了時刻を設定する。
【００２４】
上記構成によれば、起床時刻に基づいて、単位測定期間を設定することにより、測定者の生活習慣が一定でない場合においても、起床後の測定値のような有用な測定結果を容易に特定することができる。これにより、起床後の測定値のような有用な測定結果が適切に反映された、血圧の代表値を算出することができる。
【００２５】
上記一例に係る血圧管理装置において、前記算出部による前記代表値の前記算出では、前記第１測定値の取得時から前記第２測定値の取得を待機する状態を終了するまでの最大の時間は、前記第２測定値の取得時から前記単位測定期間内において３回目の測定により得られた第３測定値の取得を待機する状態を終了するまでの最大の時間よりも長い。
【発明の効果】
【００２６】
本発明によれば、有用な測定結果が適切に反映された血圧の代表値を算出可能な、血圧管理装置、血圧管理方法及び血圧管理プログラムを提供することができる。
【図面の簡単な説明】
【００２７】
【図１】図１は、適用例に係る血圧管理装置の機能構成を例示するブロック図である。
【図２】図２は、第１実施形態に係る血圧管理装置を含む血圧処理システムの構成を例示する模式図である。
【図３】図３は、第１実施形態に係る血圧測定装置のハードウェア構成を例示するブロック図である。
【図４】図４は、第１実施形態に係る携帯端末のハードウェア構成を例示するブロック図である。
【図５】図５は、第１実施形態に係る医師端末のハードウェア構成を例示するブロック図である。
【図６】図６は、第１実施形態に係るサーバのハードウェア構成を例示するブロック図である。
【図７】図７は、第１実施形態に係る血圧処理回路の機能構成を例示するブロック図である。
【図８】図８は、第１実施形態に係る血圧管理装置における代表値算出処理の手順を例示する状態遷移図である。
【図９】図９は、第１実施形態に係る血圧管理装置における代表値算出処理において代表値の算出に反映される測定値を例示する図である。
【図１０】図１０は、第１実施形態の第１変形例に係る血圧管理装置における代表値算出処理の手順を例示する状態遷移図である。
【図１１】図１１は、第１実施形態の第２変形例に係る血圧管理装置における代表値算出処理の手順を例示する状態遷移図である。
【図１２】図１２は、第１実施形態の第３変形例に係る血圧管理装置における代表値算出処理の手順を例示する状態遷移図である。
【図１３】図１３は、第２実施形態に係る血圧管理装置における代表値算出処理の手順を例示する状態遷移図である。
【図１４】図１４は、第３実施形態に係る血圧処理回路における、代表値算出処理の手順の一例を示すフローチャートである。
【発明を実施するための形態】
【００２８】
以下、図面を参照して実施形態について説明する。なお、以下の説明において、同一の機能及び構成を有する構成要素については、共通する参照符号を付す。また、共通する参照符号を有する複数の構成要素を区別する場合、当該共通する参照符号に後続する追加符号を更に付して区別する。なお、複数の構成要素について特に区別を要さない場合、当該複数の構成要素には、共通する参照符号のみが付され、追加符号は付さない。
【００２９】
１．適用例
まず、図１を用いて、本発明が適用される血圧管理装置の一例について説明する。
【００３０】
図１に示すように、血圧管理装置１は、取得部２と、設定部３と、算出部４と、出力部５と、を備える。血圧管理装置１は、血圧処理プログラムに基づいて、代表値算出処理を実行する。血圧処理プログラムは、血圧管理プログラムの一例である。
【００３１】
取得部２は、特定の測定者についての血圧の測定情報を取得する。測定情報は、センサを用いた血圧の測定によって得られた測定値を含む。血圧の測定値は、測定日時（測定日及び測定時刻）と関連付けられる。よって、測定情報は、血圧の測定値と測定日時とを含むことができる。
【００３２】
設定部３は、血圧の変動特性に基づいて、単位測定期間を設定する。単位測定期間は、１回以上の測定が行われる機会を複数含む。単位測定期間は、例えば、時間帯に関する設定時刻、時間帯の切り替え時刻等である。時間帯に関する設定時刻は、例えば、時間帯の開始時刻及び終了時刻等を含む。
【００３３】
算出部４は、取得部２から血圧の測定情報を取得し、設定部３から単位測定期間を取得する。算出部４は、血圧の測定値と、単位測定期間に基づいて、血圧の代表値を単位測定期間ごとに算出する。特定の単位測定期間における血圧の代表値は、例えば、特定の単位測定期間における１つ以上の測定値を用いて算出される。単位測定期間における血圧の代表値は、例えば、特定の単位測定期間内に測定された１つ以上の測定値の平均値、中央値等である。出力部５は、算出された代表値を外部へ出力する。
【００３４】
特定の単位測定期間において、１回目の測定を含む２回又は３回の測定が１０分以内に行われた場合、算出部４は、１０分以内に行われた測定による測定結果を用いて、血圧の代表値を算出する。算出部４は、特定の単位測定期間において、血圧の代表値が算出された後にさらに測定が行われても、血圧の代表値が算出された後の測定による測定結果に関しては、血圧の代表値に反映させない。
【００３５】
ここで、「１０分」は、「１機会の測定行動に要する代表的な時間」の一例である。１機会は、１回以上の測定を含む一連の測定行動を示す。１機会において、例えば、血圧の測定のための準備を開始してから、連続した複数回の血圧の測定を終えるまでの一連の行動が行われる。
【００３６】
また、「２回又は３回」の血圧の測定は、「血圧の代表値の算出における規定の測定回数」の一例である。規定の測定回数は、代表値の算出に用いることが推奨されている血圧の測定の回数である。規定の測定回数は、血圧の測定についてのガイドライン等において、血圧の変動特性等に基づいて定められている。規定の測定回数は、例えば、「１回」、「２回」、「２回又は３回」等である。規定の測定回数が「２回又は３回」である場合、「２」が最小規定数となり、「３」が最大規定数となる。また、代表値の算出では、１機会の時間内に行われた測定による測定結果が用いられることが好ましい。
【００３７】
このため、上述のような構成であれば、規定数を満たす数の測定値が反映された、血圧の代表値を算出することができる。
【００３８】
また、特定の単位測定期間において、１回目の測定から１０分以上経過後に２回目の測定が行われた場合でも、算出部４は、１回目の測定による測定結果と、２回目の測定による測定結果とを用いて、血圧の代表値を算出する。
【００３９】
ここで、「１回目の測定から１０分以上経過後に２回目の測定が行われた場合」は、「１回目の測定と２回目の測定が１機会の時間内に行われていない場合」の一例である。１回目の測定と２回目の測定が１機会の時間内に行われていない場合であっても、１回目の測定結果及び２回目の測定結果は、代表値の測定に用いる値として有用であることが知られている。
【００４０】
このため、上述のような構成であれば、１回目の測定と２回目の測定が１機会の時間内に行われていない場合でも、有用な測定結果を用いて、代表値の算出が確実に行われる。これにより、規定数を満たす数の測定値が反映され、かつ、有用な血圧値が適切に反映された血圧の代表値を算出することができる。
【００４１】
２．第１実施形態
上述の適用例に係る血圧管理装置の第１実施形態について、以下に説明する。以下では、血圧管理装置の一例としての血圧処理回路を有する血圧測定装置を含む、血圧処理システムについて説明する。
【００４２】
２．１  全体構成例
図２は、本実施形態に係る血圧処理システムの適用場面の一例を模式的に例示する図である。本実施形態に係る血圧処理システムは、測定者から測定された血圧値を用いて、血圧の代表値を単位測定期間ごとに算出し、算出された代表値を保存又は提示するシステムである。
【００４３】
血圧は、時間や測定環境、測定状況など、様々な要因で変動する。血圧の正しい測定方法は、血圧の変動特性に基づいて、各国のガイドライン等によって定められている。
【００４４】
本実施形態に係る血圧処理システムは、２回又は３回の測定結果を用いて、特定の単位測定期間における代表値の算出を行うことが推奨された地域において使用されることを想定している。本実施形態に係る血圧処理システムは、例えば、米国等において使用されることを想定している。例えば、米国高血圧管理ガイドラインでは、血圧の変動特性等に基づいて、１日につき２機会以上で、かつ、各機会において２回以上の血圧の測定を行うことを推奨している。例えば、起きてから１時間以内、及び、就寝前に、血圧の測定を行うことが好ましい。
【００４５】
図２に示すように、血圧処理システムは、血圧測定装置１０と携帯端末３０とを備える。血圧測定装置１０と携帯端末３０とは、近距離無線通信、又は有線通信により、接続される。血圧処理システムは、更に、医師端末５０と、サーバ７０と、を備えてもよい。この場合、携帯端末３０は、ネットワークＮＷを経由して、医師端末５０及びサーバ７０のそれぞれと接続される。これにより、血圧測定装置１０は、携帯端末３０を介して、医師端末５０及びサーバ７０のそれぞれと接続され得る。即ち、血圧測定装置１０は、携帯端末３０を介して、医師端末５０及びサーバ７０のそれぞれと通信可能である。本実施形態では、携帯端末３０、医師端末５０及びサーバ７０の間の通信は、例えば、ネットワークＮＷを介する通信が適用可能であるが、これに限定されず、近距離無線通信、又は有線通信が適用されてもよい。
【００４６】
血圧測定装置１０は、任意の測定箇所（例えば、手首）に装着可能な装置である。血圧測定装置１０は、測定箇所における測定者の血圧値を測定する。血圧測定装置１０は、血圧処理回路２０を備える。血圧処理回路２０は、血圧値の測定結果に基づいて、時間帯ごとの血圧の代表値を算出する。血圧測定装置１０は、血圧値の測定結果及び代表値の算出結果等を含む血圧情報を、携帯端末３０に送信することができる。血圧処理回路２０は、血圧管理装置の一例である。「時間帯」は、「単位測定期間」の一例である。
【００４７】
携帯端末３０は、例えば、測定者が携帯可能な端末である。携帯端末３０は、血圧測定装置１０から血圧情報を受信する。携帯端末３０は、受信した血圧情報を、医師端末５０及びサーバ７０に転送する。また、携帯端末３０は、医師端末５０から受信した診断情報等を表示する。
【００４８】
医師端末５０は、例えば、医師等が操作可能な端末である。医師端末５０は、携帯端末３０から血圧情報を受信する。医師端末５０は、受信した血圧情報、及び、測定者に関する生体情報に基づいて、測定者に関する診断情報を生成する。医師端末５０は、生成した診断情報を携帯端末３０及びサーバ７０に送信する。
【００４９】
サーバ７０は、携帯端末３０及び医師端末５０等から送信された情報を蓄積するサーバコンピュータである。
【００５０】
２．２  ハードウェア構成例
本実施形態に係る血圧処理システムにおける各装置のハードウェア構成の一例について説明する。
【００５１】
２．２．１  血圧測定装置のハードウェア構成例
まず、本実施形態に係る血圧測定装置１０のハードウェア構成例について説明する。図３は、本実施形態に係る血圧測定装置１０のハードウェア構成の一例を示すブロック図である。図３に示すように、本実施形態に係る血圧測定装置１０は、制御部１１、記憶部１２、通信部１３、操作部１４、表示部１５、血圧センサ１６、及び、血圧処理回路２０を備える。血圧測定装置１０は、更に、加速度センサ１７及び温湿度センサ１８の少なくとも１つを備えてもよい。
【００５２】
血圧処理回路２０は、血圧管理装置の一例である。本実施形態では、血圧管理装置は血圧測定装置１０に設けられているが、携帯端末３０、医師端末５０及びサーバ７０のいずれかに設けられてもよい。
【００５３】
制御部１１は、ＣＰＵ（Central Processing Unit）、ＲＡＭ（Random Access Memory）、ＲＯＭ（Read Only Memory）等を含み、情報処理に応じて各構成要素の制御を行う。また、制御部１１は、図示しないクロックを含み、現在の日時を取得する機能を有する。制御部１１は、取得した日時を表示部１５に表示する機能を有してもよい。
【００５４】
制御部１１は、血圧センサ１６、加速度センサ１７、温湿度センサ１８による測定結果、及び、血圧処理回路２０による算出結果に基づき、血圧情報、活動情報、及び、環境情報を生成する。血圧情報は、例えば、血圧センサ１６による測定者の血圧値の測定結果、血圧処理回路２０による血圧の代表値の算出結果等を含む。活動情報は、加速度センサ１７による測定に基づく、測定者の活動量、歩数、及び睡眠状態を含む。環境情報は、温湿度センサ１８による測定に基づく、測定者の周辺の温度、及び湿度を含む。血圧情報、活動情報、及び環境情報の各々は、クロックにより取得した現在日時に基づく測定日時と関連付けられる。また、血圧情報、活動情報、及び環境情報の各々は、血圧測定装置１０を一意に識別する機器ＩＤと更に関連付けられてもよい。
【００５５】
記憶部１２は、例えば、ソリッドステイトドライブ等の補助記憶装置である。血圧測定装置１０が、時計型のような小型機器では無く或る程度大きな機器として構成される場合には、記憶部１２は、ハードディスクドライブであってもよい。記憶部１２は、制御部１１で実行されるプログラム、血圧情報、活動情報、及び環境情報等を記憶する。
【００５６】
通信部１３は、携帯端末３０との通信を司る通信インタフェースである。通信部１３は、例えば、血圧情報、活動情報、及び環境情報等を携帯端末３０へ送信する。本実施形態では、通信部１３による携帯端末３０との通信は、例えば、ブルートゥース（登録商標）等の近距離無線通信が適用可能であるが、これに限定されない。通信部１３による通信は、例えば、ＬＡＮ（Local Area Network）のようなネットワークＮＷを介する通信、又は通信ケーブルを用いた有線の通信が適用されてもよい。
【００５７】
操作部１４は、例えば、タッチパネル及び操作ボタン等のユーザインタフェースを含む。操作部１４は、当該ユーザインタフェースを介して測定者による操作を検出し、当該操作の内容を示す信号を制御部１１に出力する。
【００５８】
表示部１５は、例えば、表示画面（例えば、ＬＣＤ（Liquid Crystal Display）又はＥＬ（Electroluminescence）ディスプレイ等）及びインジケータ等を含む。表示部１５は、制御部１１からの信号にしたがって情報を表示し、測定者へ通知する。例えば、表示部１５は、記憶部１２に記憶された血圧情報、活動情報、及び環境情報等を表示することができる。
【００５９】
血圧センサ１６は、測定者の血圧値を測定する。血圧値は、例えば、最高血圧及び最低血圧等の代表的な指数を含む。以下の説明では一例として、血圧値が最高血圧であるものとして説明するが、最低血圧及びその他の指数が最高血圧に代えて用いられてもよく、これらの複数の指数が組み合わせて用いられてもよい。
【００６０】
血圧センサ１６は、例えば、測定者の血圧を、心拍の一拍ごと（連続的）に測定可能な連続測定型でもよく、所定の時期についてスポット（非連続的）で測定可能な非連続測定型でもよい。連続測定型の血圧センサ１６には、例えば、脈波伝播時間（ＰＴＴ；Pulse Transmit Time）に基づいて測定者の血圧を連続的に測定する手法、及び圧脈波に基づいて血圧を連続的に測定する手法（トノメトリ法）等が適用可能である。なお、連続的に血圧を測定する手法は、上述の例に限らず、発光素子を用いて脈波を検出する手法等が適宜適用可能である。非連続測定型の血圧センサ１６には、例えば、カフを圧力センサとして用いて血管を圧迫することで脈波を検出する手法（オシロメトリック法）が適用可能である。
【００６１】
加速度センサ１７は、血圧測定装置１０の装着箇所において生じる測定者の加速度を、３軸成分の組として検出する。また、加速度センサ１７は、ジャイロセンサを更に含んでもよく、加速度に加えて、角速度を３軸成分の組として更に検出してもよい。
【００６２】
温湿度センサ１８は、測定者の周辺の温度及び湿度を測定する。
【００６３】
血圧処理回路２０は、制御部１１が血圧センサ１６での測定結果から生成した血圧情報を用いて、血圧の代表値を時間帯ごとに算出する。血圧処理回路２０は、血圧測定装置１０、携帯端末３０、医師端末５０及びサーバ７０のいずれかに設けられてもよい。
【００６４】
血圧処理回路２０は、例えばプロセッサ２０ａとメモリ２０ｂとを備える。血圧処理回路２０は、プロセッサ２０ａがメモリ２０ｂに記憶されたプログラムを実行することにより、各種の動作制御およびデータ処理などを実現する。また、血圧処理回路２０は、図示しないクロックを有し、現在の日時を計時することができる。
【００６５】
プロセッサ２０ａは、例えば演算回路を含むＣＰＵやＭＰＵ（Micro Processing Unit）などである。プロセッサ２０ａは、メモリ２０ｂまたは記憶部１２が記憶するプログラムを実行することにより各部の制御およびデータ処理が実行可能である。
【００６６】
メモリ２０ｂは、例えば、プロセッサ２０ａが実行するプログラムを記憶する不揮発性のメモリ、及び、ワーキングメモリとして使用するＲＡＭなどの揮発性メモリを含む。
【００６７】
血圧処理回路２０は、血圧処理プログラムに基づいて、代表値算出処理を実行する。血圧処理プログラムは、血圧管理プログラムの一例である。血圧処理回路２０による代表値算出処理については、後述する。血圧処理プログラムは、代表値算出処理を、血圧処理回路２０に実行させるためのプログラムである。血圧処理プログラムは、メモリ２０ｂに記憶されていてもよく、記憶部１２に記憶されていてもよい。
【００６８】
なお、制御部１１が血圧処理回路２０として機能してもよい。即ち、制御部１１が血圧処理回路２０を兼用してもよい。この場合、制御部１１のＣＰＵが血圧処理回路２０のプロセッサ２０ａとなり、制御部１１のＲＯＭが血圧処理回路２０のメモリ２０ｂの不揮発性メモリとなり、制御部１１のＲＡＭが血圧処理回路２０のメモリ２０ｂの揮発性メモリとなる。
【００６９】
２．２．２  携帯端末のハードウェア構成例
次に、携帯端末３０のハードウェア構成例について説明する。図４は、本実施形態に係る携帯端末３０のハードウェア構成の一例を示すブロック図である。図４に示すように、本実施形態に係る携帯端末３０は、制御部３１、記憶部３２、通信部３３、操作部３４、表示部３５、及びＧＰＳ（Global Positioning System）受信機３６を備える。
【００７０】
制御部３１及び記憶部３２はそれぞれ、血圧測定装置１０の制御部１１及び記憶部１２と同様である。携帯端末３０の記憶部３２は、血圧測定装置１０から受信した情報及びＧＰＳ受信機３６によって生成される位置情報を記憶する。血圧測定装置１０から受信した情報は、血圧情報、活動情報、環境情報等を含む。
【００７１】
通信部３３は、血圧測定装置１０、医師端末５０及びサーバ７０との通信を司る通信インタフェースである。通信部３３は、例えば、血圧情報、活動情報、及び環境情報等を、血圧測定装置１０から受信する。また、通信部３３は、血圧情報、活動情報、環境情報、位置情報等を医師端末５０及びサーバ７０に送信する。
【００７２】
操作部３４及び表示部３５はそれぞれ、血圧測定装置１０の操作部１４及び表示部１５と同様である。
【００７３】
ＧＰＳ受信機３６は、携帯端末３０の位置を測位し、位置情報を生成する。位置情報は、例えば、測位日時、並びに測位日時における携帯端末３０の緯度、及び経度を含む。ＧＰＳ受信機３６による測位は、例えば、血圧測定装置１０の血圧センサ１６の測定と同期して行うことが可能である。
【００７４】
２．２．３  医師端末のハードウェア構成例
次に、医師端末５０のハードウェア構成例について説明する。図５は、本実施形態に係る医師端末５０のハードウェア構成の一例を示すブロック図である。図５に示すように、本実施形態に係る医師端末５０は、制御部５１、記憶部５２、通信部５３、操作部５４、及び、表示部５５を備える。
【００７５】
制御部５１及び記憶部５２はそれぞれ、血圧測定装置１０の制御部１１及び記憶部１２と同様である。医師端末５０の制御部５１は、測定者に関する生体情報、測定者に関する診断情報等を生成する。
【００７６】
医師端末５０の記憶部５２は、携帯端末３０から転送された情報、測定者に関する生体情報、測定者に関する診断情報等を一時的に記憶する。
【００７７】
通信部５３は、携帯端末３０及びサーバ７０との通信を司る通信インタフェースである。通信部５３は、例えば、血圧情報、活動情報、及び環境情報等を、携帯端末３０から受信する。また、通信部５３は、測定者に関する生体情報及び測定者に関する診断情報等を携帯端末３０及びサーバ７０に送信する。
【００７８】
操作部５４及び表示部５５はそれぞれ、血圧測定装置１０の操作部１４及び表示部１５と同様である。
【００７９】
２．２．４  サーバのハードウェア構成例
次に、サーバ７０のハードウェア構成例について説明する。図６は、本実施形態に係るサーバ７０のハードウェア構成の一例を示すブロック図である。図６に示すように、本実施形態に係るサーバ７０は、制御部５１、記憶部５２、及び、通信部５３を備える。
【００８０】
制御部７１及び記憶部７２はそれぞれ、血圧測定装置１０の制御部１１及び記憶部１２と同様である。サーバ７０の記憶部７２は、携帯端末３０及び医師端末５０から送信された情報等を記憶する。
【００８１】
通信部７３は、携帯端末３０及び医師端末５０との通信を司る通信インタフェースである。通信部７３は、例えば、血圧情報、活動情報、及び環境情報等を、携帯端末３０から受信する。通信部７３は、例えば、血圧情報、活動情報、及び環境情報等を、医師端末５０から受信する。また、通信部７３は、測定者に関する生体情報、測定者に関する診断情報等を、医師端末５０から受信する。通信部７３は、記憶部７２に記憶した情報を、携帯端末３０及び医師端末５０に送信する。
【００８２】
２．３  機能構成例
次に、本実施形態に係る血圧処理システムの機能構成の一例について説明する。
【００８３】
２．３．１  血圧処理回路の機能構成例
図７は、本実施形態に係る血圧処理システムの血圧処理回路２０の機能構成の一例を模式的に示すブロック図である。
【００８４】
血圧処理回路２０のプロセッサ２０ａは、メモリ２０ｂの不揮発性メモリに記憶された血圧処理プログラムをメモリ２０ｂの揮発性メモリに展開する。そして、プロセッサ２０ａは、揮発性メモリに展開された血圧処理プログラムを解釈及び実行することで、取得部２１、設定部２２、算出部２３、及び出力部２４として機能する。
【００８５】
メモリ２０ｂの揮発性メモリには、設定情報２７、血圧情報２６、血圧の代表値等が一時的に記憶される。血圧情報２６は、制御部１１からの測定情報である血圧の測定値と測定日時、及び、算出部２３で算出された血圧の代表値等を含む。設定情報２７は、設定部２２で設定された単位測定期間に関する情報等を含む。
【００８６】
取得部２１は、測定情報を取得し、この取得した測定情報を、血圧情報２６としてメモリ２０ｂに記憶するとともに、算出部２３に伝達する。
【００８７】
設定部２２は、血圧の変動特性に基づいて、単位測定期間を設定する。単位測定期間は、メモリ２０ｂ又は記憶部１２に予め記憶されていてもよく、操作部１４において入力されてもよい。単位測定期間は、複数の機会を含む。単位測定期間は、例えば、各時間帯の設定時刻を含む。各時間帯の設定時刻は、例えば、朝の時間帯の設定時刻と、夜の時間帯の設定時刻とを含む。設定部２２は、単位測定期間の切り替え時刻を設定することで、各単位測定期間を設定することができる。設定部２２は、設定した切り替え時刻を、設定情報２７としてメモリ２０ｂに記憶するとともに、算出部２３に伝達する。
【００８８】
算出部２３は、血圧情報２６と設定情報２７とに基づいて、血圧の代表値を時間帯ごとに算出する。設定部２２及び算出部２３による代表値算出処理については、後述する。
【００８９】
特定の単位測定期間における血圧の代表値は、例えば、特定の単位測定期間内に測定された複数の測定値を用いて算出される。特定の単位測定期間における血圧の代表値は、例えば、単位測定期間内に測定された複数の測定値の平均値、中央値、等である。
【００９０】
出力部２４は、算出部２３で算出された血圧の代表値を取得する。出力部２４は、取得した血圧の代表値を、記憶部１２等に出力する。
【００９１】
２．４  動作例
次に、本実施形態に係る血圧処理システムの動作例について説明する。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００９２】
２．４．１  血圧処理回路の動作例
図８は、本実施形態に係る血圧処理回路２０における、設定部２２及び算出部２３による代表値算出処理の手順の一例を模式的に示す図である。
【００９３】
本実施形態では、設定部２２は、単位測定期間の設定において、０時から１２時までの時刻を朝の時間帯として設定し、１２時から２４時（０時）までの時刻を夜の時間帯として設定している。この場合、設定部２２は、０時及び１２時を、時間帯の切り替え時刻として設定している。設定部２２は、単位測定期間を複数設定することにより、１日（例えば、特定の時刻から次の日の同時刻までの２４時間）を複数の単位測定期間に分割している。朝の時間帯は、例えば、第１単位測定期間の一例であり、夜の時間帯は、例えば、第２単位測定期間の一例である。
【００９４】
特定の単位測定期間における代表値算出処理では、算出部２３は、まず、単位測定期間の開始時刻に、第１状態Ｍ１となる。第１状態Ｍ１では、算出部２３は、取得部２１において測定情報が取得されるまで、第１状態Ｍ１で待機する。
【００９５】
第１状態Ｍ１において、取得部２１が制御部１１から測定情報を取得すると、プロセッサ２０ａは、第１状態Ｍ１から第２状態Ｍ２に遷移する。このとき、算出部２３は、特定の時間帯における第１測定情報として、取得した測定情報をメモリ２０ｂに記憶する。第１測定情報は、特定の時間帯における１回目の測定によって得られた測定結果である。第１測定情報は、第１測定値と、第１測定時刻とを含む。第１測定値は、特定の時間帯における１回目の測定による測定値である。第１測定時刻は、特定の時間帯における１回目の測定の測定時刻である。
【００９６】
第２状態Ｍ２において、第１測定時刻から１０分以内に、取得部２１が制御部１１から測定情報を取得すると、プロセッサ２０ａは、第２状態Ｍ２から第３状態Ｍ３に遷移する。このとき、算出部２３は、特定の時間帯における第２測定情報として、取得した測定情報をメモリ２０ｂに記憶する。第２測定情報は、特定の時間帯における２回目の測定によって得られた測定結果である。第２測定情報は、第２測定値と、第２測定時刻とを含む。第２測定値は、特定の時間帯における２回目の測定による測定値である。第２測定時刻は、特定の時間帯における２回目の測定の測定時刻である。第１測定時刻と第２測定時刻との差は、１０分以内である。「１０分」は、「１機会の測定行動に要する代表的な時間」の一例である。
【００９７】
第２状態Ｍ２において、取得部２１において測定情報が取得されない状態で、第１測定時刻から１０分が経過すると、算出部２３は、第４状態Ｍ４に遷移する。
【００９８】
第２状態Ｍ２において、取得部２１において測定情報が取得されない状態で、かつ、第１測定時刻から１０分以内に、０時または１２時になると、算出部２３は、第２状態Ｍ２から第１状態Ｍ１に遷移する。このとき、算出部２３は、時間帯が切り替わったと判断する。「０時」及び「１２時」は、「時間帯の切替え時刻」の一例である。
【００９９】
例えば、第２状態Ｍ２において、取得部２１において測定情報が取得されない状態で、かつ、第１測定時刻から１０分以内に、０時になった場合、算出部２３は、夜の時間帯が終了し、朝の時間帯が開始したと判断する。また、第２状態Ｍ２において、取得部２１において測定情報が取得されない状態で、かつ、第１測定時刻から１０分以内に、１２時になった場合、算出部２３は、朝の時間帯が終了し、夜の時間帯が開始したと判断する。
【０１００】
第３状態Ｍ３において、第１測定時刻から１０分以内に、取得部２１が制御部１１から測定情報を取得すると、プロセッサ２０ａは、第３状態Ｍ３から第６状態Ｍ６に遷移する。このとき、算出部２３は、特定の時間帯における第３測定情報として、取得した測定情報をメモリ２０ｂに記憶する。第３測定情報は、特定の時間帯における３回目の測定によって得られた測定結果である。第３測定情報は、第３測定値と、第３測定時刻と、を含む。第３測定値は、特定の時間帯における３回目の測定による測定値である。第３測定時刻は、特定の時間帯における３回目の測定の測定時刻である。第１測定時刻と第３測定時刻との差は、１０分以内である。算出部２３は、特定の時間帯における第１測定情報、第２測定情報及び第３測定情報がメモリ２０ｂに記憶された状態で、第６状態Ｍ６に遷移する。
【０１０１】
第３状態Ｍ３において、取得部２１において測定情報が取得されない状態で、第１測定時刻から１０分が経過すると、算出部２３は、第３状態Ｍ３から第６状態Ｍ６に遷移する。このとき、算出部２３は、第１測定情報及び第２測定情報がメモリ２０ｂに記憶された状態で、第６状態Ｍ６に遷移する。
【０１０２】
第３状態Ｍ３において、取得部２１において測定情報が取得されない状態で、かつ、第１測定時刻から１０分以内に、０時または１２時になると、算出部２３は、第３状態Ｍ３から第７状態Ｍ７に遷移する。このとき、算出部２３は、特定の時間帯から次の時間帯に切り替わったと判断する。算出部２３は、特定の時間帯における第１測定情報及び第２測定情報がメモリ２０ｂに記憶された状態で、第７状態Ｍ７に遷移する。
【０１０３】
第４状態Ｍ４において、取得部２１において測定情報が取得されない状態で、０時または１２時になると、算出部２３は、第４状態Ｍ４から第１状態Ｍ１に遷移する。このとき、算出部２３は、特定の時間帯から次の時間帯に切り替わったと判断する。
【０１０４】
第４状態Ｍ４において、取得部２１が制御部１１から測定情報を取得すると、プロセッサ２０ａは、第４状態Ｍ４から第５状態Ｍ５に遷移する。このとき、算出部２３は、特定の時間帯における第２測定情報として、取得した測定情報をメモリ２０ｂに記憶する。第１測定時刻と第２測定時刻との差は、１０分よりも大きい。
【０１０５】
第５状態Ｍ５において、第２測定時刻から１０分以内に、取得部２１が制御部１１から測定情報を取得すると、プロセッサ２０ａは、第５状態Ｍ５から第６状態Ｍ６に遷移する。このとき、算出部２３は、特定の時間帯における第３測定情報として、取得した測定情報をメモリ２０ｂに記憶する。第２測定時刻と第３測定時刻との差は、１０分以内である。算出部２３は、特定の時間帯における第１測定情報、第２測定情報及び第３測定情報がメモリ２０ｂに記憶された状態で、第６状態Ｍ６に遷移する。
【０１０６】
第５状態Ｍ５において、取得部２１において測定情報が取得されない状態で、第２測定時刻から１０分が経過すると、算出部２３は、第５状態Ｍ５から第６状態Ｍ６に遷移する。算出部２３は、特定の時間帯における第１測定情報及び第２測定情報がメモリ２０ｂに記憶された状態で、第６状態Ｍ６に遷移する。
【０１０７】
第５状態Ｍ５において、取得部２１において測定情報が取得されない状態で、かつ、第２測定時刻から１０分以内に、０時または１２時になると、算出部２３は、第５状態Ｍ５から第７状態Ｍ７に遷移する。このとき、算出部２３は、特定の時間帯から次の時間帯に切り替わったと判断する。算出部２３は、特定の時間帯における第１測定情報及び第２測定情報がメモリ２０ｂに記憶された状態で、第７状態Ｍ７に遷移する。
【０１０８】
第６状態Ｍ６では、算出部２３は、メモリ２０ｂに記憶された測定情報を用いて、特定の時間帯における血圧の代表値の算出を行う。算出部２３は、算出された代表値を、メモリ２０ｂに記憶するとともに出力部２４に伝達する。
【０１０９】
第６状態Ｍ６において、０時または１２時になると、算出部２３は、特定の時間帯から次の時間帯に切り替わったと判断し、第６状態Ｍ６から第１状態Ｍ１に遷移する。つまり、第６状態Ｍ６での代表値算出後は、取得部２１において測定情報が取得されても、それは代表値の算出には用いられない。
【０１１０】
第７状態Ｍ７では、算出部２３は、メモリ２０ｂに記憶された測定情報を用いて、特定の時間帯における血圧の代表値の算出を行う。算出部２３は、算出された代表値を、メモリ２０ｂに記憶するとともに出力部２４に伝達する。第７状態Ｍ７における血圧の代表値の算出は、例えば、第６状態Ｍ６における血圧の代表値の算出と同様にして、行われる。第７状態Ｍ７では、算出部２３は、代表値の算出が終了すると即時に、第１状態Ｍ１に遷移する。
【０１１１】
２．５  作用・効果
本実施形態の効果について、図９を用いて以下に説明する。図９は、本実施形態に係る血圧処理回路２０によって、代表値算出処理に採用される測定情報の例を示す。
【０１１２】
図９の例では、血圧の測定が行われたことを、×印で示す。複数の×印が隣接している場合は、１０分以内に複数回の測定が行われたことを示す。「１０分以内」は、「１機会の時間内」の一例である。１機会は、例えば、一般的に１つの行動に要する時間である。１機会は、例えば、１０分である。
【０１１３】
例えば、パターン１では、０７：００から０７：３０までの時間において、３回の測定が１０分以内に行われたことを示す。また、×印の間が隣接していない場合は、該当する測定時刻の間が１０分以上離れていることを示す。なお、図９の例では、０７：００よりも前の時間、及び、１４：００以降には、測定は行われていないこととする。
【０１１４】
また、図９の例では、測定結果のうち、血圧の代表値の算出に用いられる測定結果を、太線で囲って示す。例えば、パターン１では、夜の時間帯において、４回の血圧の測定が行われ、１回目から３回目の測定による測定結果が、血圧の代表値の算出に用いられ、血圧の代表値に反映される。
【０１１５】
例えば、パターン７では、朝の時間帯において１回の血圧の測定が行われている。１回目の測定は、０７：００から０７：３０までの時間に行われている。この場合、算出部２３は、第１状態Ｍ１、第２状態Ｍ２、第１状態Ｍ１の順に遷移する。したがって、パターン７の朝の時間帯では、算出部２３は、第６状態Ｍ６又は第７状態Ｍ７に遷移しないため、代表値の算出は行われない。
【０１１６】
前述のように、本実施形態は、２回以上の測定結果を用いて、特定の単位測定期間における代表値の算出を行うことが推奨された地域において使用されることを想定している。本実施形態によれば、特定の時間帯において血圧測定が１回のみ行われた場合は、血圧の代表値の算出は行われない。したがって、規定数を満たさない測定結果を用いて、血圧の代表値が算出されることが防止される。これにより、血圧値について、測定回数の規定を満たした代表値を得ることができる。
【０１１７】
また、例えば、パターン１では、夜の時間帯において４回の血圧の測定が行われている。１回目から３回目までの測定は、１２：００から１２：３０までの時間に行われている。１回目から３回目までの測定は、１０分間以内に行われている。４回目の測定は、１３：００から１３：３０までの時間に行われている。４回目の測定は、１回目の測定から１０分以上経過した後に行われている。
【０１１８】
パターン１では、夜の時間帯において、算出部２３は、第１状態Ｍ１、第２状態Ｍ２、第３状態Ｍ３、第６状態Ｍ６の順に遷移する。第６状態Ｍ６での代表値の算出では、１回目から３回目までの測定による測定結果が、朝の時間帯についての血圧の代表値に反映される。また、算出部２３は、３回目の測定が行われると、血圧の代表値の算出を開始する。このため、第６状態Ｍ６において４回目の測定が行われても、測定値は血圧の代表値に反映されない。
【０１１９】
前述のように、本実施形態は、２回以上の測定結果を用いて、特定の単位測定期間における代表値の算出を行うことが推奨された地域において使用されることを想定している。このため、特定の時間帯についての血圧の代表値の算出では、３回の測定結果が反映されていれば十分である。本実施形態によれば、特定の時間帯において血圧測定が４回以上行われた場合には、４回目以降の測定結果は、代表値に反映されない。これにより、血圧の代表値の算出を効率的に行うことができる。
【０１２０】
また、例えば、パターン２では、夜の時間帯において３回の血圧の測定が行われている。１回目及び２回目の測定は、１２：００から１２：３０までの時間に行われている。１回目及び２回目の測定は、１０分間以内に行われている。３回目の測定は、１３：００から１３：３０までの時間に行われている。３回目の測定は、２回目の測定から１０分以上経過した後に行われている。
【０１２１】
パターン２では、夜の時間帯において、算出部２３は、第１状態Ｍ１、第２状態Ｍ２、第３状態Ｍ３、第６状態Ｍ６の順に遷移する。第６状態Ｍ６での代表値の算出では、１回目及び２回目の測定における測定結果が、夜の時間帯についての血圧の代表値に反映される。また、算出部２３は、１回目の測定から１０分が経過すると、血圧の代表値の算出を開始する。このため、第６状態Ｍ６において３回目の測定が行われても、測定値は血圧の代表値に反映されない。
【０１２２】
前述のように、本実施形態は、２回以上の測定結果を用いて、特定の単位測定期間における代表値の算出を行うことが推奨された地域において使用されることを想定している。一方、１回目の測定から１０分以上経過した後の測定による測定結果は、代表値の算出に適さないことがある。本実施形態によれば、特定の時間帯において２回以上の測定値が得られており、かつ、１回目の測定から１０分以上経過した後に測定が行われた場合には、１回目の測定から１０分以上経過した後の測定による測定結果は、代表値に反映されない。これにより、血圧値について、測定回数の規定を満たし、かつ、不要な測定結果が反映されない適切な代表値を得ることができる。
【０１２３】
また、例えば、パターン６では、夜の時間帯において２回の血圧の測定が行われている。１回目の測定は、１２：００から１２：３０までの時間に行われている。２回目の測定は、１２：３０から１３：００までの時間に行われている。２回目の測定は、１回目の測定から１０分以上経過した後に行われている。
【０１２４】
パターン６では、夜の時間帯において、算出部２３は、第１状態Ｍ１、第２状態Ｍ２、第４状態Ｍ４、第５状態Ｍ５、第６状態Ｍ６の順に遷移する。第６状態Ｍ６では、１回目及び２回目の測定における測定結果が、夜の時間帯についての血圧の代表値に反映される。
【０１２５】
また、例えば、パターン６では、朝の時間帯において３回の血圧の測定が行われている。１回目の測定は、０７：００から０７：３０までの時間に行われている。２回目の測定は、０７：３０から０８：００までの時間に行われている。２回目の測定は、１回目の測定から１０分以上経過した後に行われている。３回目の測定は、０８：００から０８：３０までの時間に行われている。３回目の測定は、２回目の測定から１０分以上経過した後に行われている。
【０１２６】
パターン６では、朝の時間帯において、算出部２３は、第１状態Ｍ１、第２状態Ｍ２、第４状態Ｍ４、第５状態Ｍ５、第６状態Ｍ６の順に遷移する。第６状態Ｍ６では、１回目及び２回目の測定における測定結果が、朝の時間帯についての血圧の代表値に反映される。また、算出部２３は、２回目の測定から１０分が経過すると、血圧の代表値の算出を開始する。このため、第６状態Ｍ６において３回目の測定が行われても、測定値は血圧の代表値に反映されない。
【０１２７】
ここで、単位測定期間内において、１回目の測定と２回目の測定の間に別の作業を行うことにより、１回目の測定から１０分以上が経過した後に２回目の測定を行うことがある。この場合、１回目の測定結果及び２回目の測定結果は、単位測定期間内に行われているため、代表値の算出に有用である。しかし、２回目の測定が１回目の測定と同一機会に行われていないため、１回目の測定結果及び２回目の測定結果が血圧の代表値の算出に有用であるにも関わらず、１回目の測定結果及び２回目の測定結果が反映された血圧の代表値が、算出されないことがある。
【０１２８】
本実施形態によれば、特定の時間帯において２回目の測定が行われた場合には、２回目の測定が１回目の測定から１０分以上経過した後に行われた場合であっても、１回目の測定結果及び２回目の測定結果を用いて、血圧の代表値を算出する。このため、２回目の測定が１回目の測定から１０分以上経過した後に行われた場合であっても、規定数を満たし、かつ、有用な測定結果が適切に反映された、血圧の代表値を得ることができる。
【０１２９】
また、例えば、パターン５では、朝の時間帯において３回の血圧の測定が行われている。１回目の測定は、０７：００から０７：３０までの時間に行われている。２回目及び３回目の測定は、０７：３０から０８：００までの時間に行われている。２回目の測定は、１回目の測定から１０分以上経過した後に行われている。２回目及び３回目の測定は、１０分間以内に行われている。
【０１３０】
パターン５では、朝の時間帯において、算出部２３は、第１状態Ｍ１、第２状態Ｍ２、第４状態Ｍ４、第５状態Ｍ５、第６状態Ｍ６の順に遷移する。第６状態Ｍ６では、１回目から３回目までの測定における測定結果が、朝の時間帯についての血圧の代表値に反映される。
【０１３１】
また、例えば、パターン５では、夜の時間帯において４回の血圧の測定が行われている。１回目の測定は、１２：３０から１３：００までの時間に行われている。２回目及び３回目の測定は、１３：００から１３：３０までの時間に行われている。２回目の測定は、１回目の測定から１０分以上経過した後に行われている。２回目及び３回目の測定は、１０分間以内に行われている。そして、４回目の測定は、１３：３０から１４：００までの時間に行われている。４回目の測定は、３回目の測定から１０分以上経過した後に行われている。
【０１３２】
パターン５では、夜の時間帯において、算出部２３は、第１状態Ｍ１、第２状態Ｍ２、第４状態Ｍ４、第５状態Ｍ５、第６状態Ｍ６の順に遷移する。第６状態Ｍ６では、１回目から３回目までの測定における測定結果が、夜の時間帯についての血圧の代表値に反映される。また、算出部２３は、３回目の測定が行われると、血圧の代表値の算出を開始する。このため、第６状態Ｍ６において４回目の測定が行われても、測定値は血圧の代表値に反映されない。
【０１３３】
ここで、血圧の測定において、１回目の測定と２回目の測定の間に別の作業を行うことにより、１回目の測定から１０分以上が経過した後に２回目の測定を行い、さらに、２回目の測定から１０分以内に３回目の測定を行うことがある。この場合、２回目の測定が１回目の測定と同一機会に行われていないため、１回目から３回目までの測定による測定結果が血圧の代表値の算出に有用であるにも関わらず、１回目から３回目までの測定による測定結果が、血圧の代表値に適切に反映されないことがある。
【０１３４】
本実施形態によれば、特定の時間帯において、２回目の測定が１回目の測定から１０分以上経過した後に行われ、かつ、３回目の測定が２回目の測定から１０分以内に行われた場合には、１回目から３回目までの測定による測定結果を用いて、血圧の代表値を算出する。このため、有用な測定結果がより適切に反映された、血圧の代表値を得ることができる。
【０１３５】
ここで、測定者がパターン１に示すような生活習慣を有する場合、例えば、測定者は、０７：００から０７：３０の間において就寝前の血圧の測定を行い、１２：００から１２：３０の間に起床後の血圧値を測定する。この場合、１２：００から１２：３０の間の測定による測定結果は、起床後の血圧値として、血圧の代表値の算出に有用である。
【０１３６】
本実施形態では、０時から１２時までの時刻が朝の時間帯として設定され、１２時から２４時までの時刻が夜の時間帯として設定されている。このため、０７：００から０７：３０の間の測定による測定結果が、第１単位測定期間の代表値の算出に反映され、１２：００から１２：３０の間の測定による測定結果が、第２単位測定期間の代表値の算出に反映される。したがって、測定者がパターン１に示すような生活習慣を有する場合であっても、起床後の血圧値のような有用な値が、血圧の代表値に反映される。
【０１３７】
このように、本実施形態では、朝の時間帯及び夜の時間帯のいずれにも該当しない時刻は設けられない。すなわち、１日のうち、いずれの単位測定期間にも該当しない時間は存在しない。したがって、１日のうち全ての時刻が、いずれかの単位測定期間に含まれる。このため、本実施形態によれば、生活時間帯が変化するシフトワーカーや複数の標準時を跨いて生活する人が測定者であっても、有用な測定結果が適切に反映された血圧の代表値を算出することができる。
【０１３８】
また、本実施形態では、算出部２３は、第２状態Ｍ２において第２測定情報が取得されたことに基づいて第３状態Ｍ３に遷移する。また、算出部２３は、第４状態Ｍ４において第２測定情報が取得されたことに基づいて第５状態Ｍ５に遷移する。そして、第３状態Ｍ３及び第５状態Ｍ５では、第３測定情報の取得を待機する。そして、第３状態Ｍ３及び第５状態Ｍ５では、第３測定情報が取得されたか否かに関わらず、第２測定時刻から１０分以内に第６状態Ｍ６又は第７状態Ｍ７のいずれかに遷移する。このため、第２測定情報の取得時から、第３測定情報の取得を待機する状態は１０分以内に終了する。
【０１３９】
一方、算出部２３は、第１状態Ｍ１において第１測定情報が取得されたことに基づいて第２状態Ｍ２に遷移する。そして、第２状態Ｍ２では、第２測定情報の取得を待機する。そして、第２状態Ｍ２では、第２測定情報が取得されない場合、時間帯の切り替え時刻になるまで第２測定情報の取得を待機する。このため、第１測定情報の取得時から、第２測定情報の取得を待機する状態は例えば数時間維持され得る。したがって、第１測定情報の取得時から第２測定情報の取得を待機する状態が終了するまでの最大の時間は、第２測定情報の取得時から第３測定情報の取得を待機する状態が終了するまでの最大の時間よりも長い。
【０１４０】
２．６  第１実施形態の第１変形例
第１実施形態に係る第１変形例について、以下に説明する。なお、以下では、上記実施形態と同様の構成要素に関しては同様の符号を用い、上記実施形態と同様の点については、適宜説明を省略した。
【０１４１】
図１０は、本変形例に係る血圧処理回路２０における、設定部２２及び算出部２３による代表値算出処理の手順の一例を模式的に示す図である。
【０１４２】
本変形例では、設定部２２は、単位測定期間の設定において、４時から１１時までの時刻を朝の時間帯として設定し、１９時から２時までの時刻を夜の時間帯として設定している。設定部２２は、４時を朝の時間帯の開始時刻として設定し、１１時を朝の時間帯の終了時刻として設定する。また、設定部２２は、１９時を夜の時間帯の開始時刻として設定し、２時を夜の時間帯の終了時刻として設定する。そして、設定部２２は、４時、１１時、１９時及び２時を、時間帯の切り替え時刻として設定する。朝の時間帯は、例えば、第１単位測定期間の一例であり、夜の時間帯は、例えば、第２単位測定期間の一例である。
【０１４３】
本変形例における、特定の単位測定期間における代表値算出処理では、第２状態Ｍ２において、取得部２１において測定情報が取得されない状態で、かつ、第１測定時刻から１０分以内に、２時または１１時になると、算出部２３は、第２状態Ｍ２から第８状態Ｍ８に遷移する。このとき、算出部２３は、朝の時間帯又は夜の時間帯が終了したと判断する。
【０１４４】
第３状態Ｍ３において、取得部２１において測定情報が取得されない状態で、かつ、第１測定時刻から１０分以内に、２時または１１時になると、算出部２３は、第３状態Ｍ３から第７状態Ｍ７に遷移する。このとき、算出部２３は、朝の時間帯又は夜の時間帯が開始したと判断する。算出部２３は、特定の時間帯における第１測定情報及び第２測定情報がメモリ２０ｂに記憶された状態で、第７状態Ｍ７に遷移する。
【０１４５】
第４状態Ｍ４において、取得部２１において測定情報が取得されない状態で、２時または１１時になると、算出部２３は、第４状態Ｍ４から第８状態Ｍ８に遷移する。このとき、算出部２３は、朝の時間帯又は夜の時間帯が終了したと判断する。
【０１４６】
第５状態Ｍ５において、取得部２１において測定情報が取得されない状態で、かつ、第２測定時刻から１０分以内に、２時または１１時になると、算出部２３は、第５状態Ｍ５から第７状態Ｍ７に遷移する。このとき、算出部２３は、朝の時間帯又は夜の時間帯が終了したと判断する。算出部２３は、特定の時間帯における第１測定情報及び第２測定情報がメモリ２０ｂに記憶された状態で、第７状態Ｍ７に遷移する。
【０１４７】
第６状態Ｍ６又は第７状態Ｍ７において、代表値の算出が終了すると即時に、算出部２３は、第８状態Ｍ８に遷移する。
【０１４８】
第８状態Ｍ８では、算出部２３は、４時又は１９時になるまで待機する。４時又は１９時になると、算出部２３は、第８状態Ｍ８から第１状態Ｍ１に遷移する。このとき、算出部２３は、朝の時間帯又は夜の時間帯が開始したと判断する。
【０１４９】
本変形例では、夜の時間帯の終了時刻は、２時に設定されている。このため、翌日０時から２時までの間に夜の時間帯における血圧の測定が行われた場合でも、測定情報が夜の時間帯の測定値として、前日から続く夜の時間帯についての血圧の代表値の算出に用いられる。これにより、例えば、０時以降から２時までの間に、夜の時間帯における就寝前の血圧の測定を行う測定者であっても、測定情報が代表値に適切に反映される。本変形例のように単位測定期間を、測定者の生活習慣、文化等に応じて適切に設定することにより、より精度の高い血圧の代表値を得ることができる。
【０１５０】
２．７  第１実施形態の第２変形例
第１実施形態に係る第２変形例について、以下に説明する。なお、以下では、上記実施形態と同様の構成要素に関しては同様の符号を用い、上記実施形態と同様の点については、適宜説明を省略した。
【０１５１】
図１１は、本変形例に係る血圧処理回路２０における、設定部２２及び算出部２３による代表値算出処理の手順の一例を模式的に示す図である。
【０１５２】
本変形例では、設定部２２は、単位測定期間の設定において、測定情報に基づいて、時間帯の切り替え時刻を設定する。設定部２２は、特定の時間帯における１回目の測定から６時間後の時刻を、特定の時間帯の終了時刻として設定する。算出部２３は、特定の時間帯の終了時刻となったことに基づいて、特定の時間帯が終了し、次の時間帯に切り替わったと判断する。特定の時間帯は、第１の単位測定期間の一例であり、次の時間帯は、第２の単位測定期間の一例である。
【０１５３】
本変形例における、特定の単位測定期間における代表値算出処理では、第４状態Ｍ４において、取得部２１において測定情報が取得されない状態で、第1測定時刻から６時間が経過すると、算出部２３は、第４状態Ｍ４から第１状態Ｍ１に遷移する。このとき、算出部２３は、特定の時間帯が終了し、次の時間帯に切り替わったと判断する。
【０１５４】
第５状態Ｍ５において、取得部２１において測定情報が取得されない状態で、かつ、第２測定時刻から１０分以内に、第1測定時刻から６時間が経過すると、算出部２３は、第５状態Ｍ５から第７状態Ｍ７に遷移する。このとき、算出部２３は、時間帯が切り替わったと判断する。算出部２３は、特定の時間帯における第１測定情報及び第２測定情報がメモリ２０ｂに記憶された状態で、第７状態Ｍ７に遷移する。
【０１５５】
第６状態Ｍ６又は第７状態Ｍ７において、第１測定時刻から６時間が経過すると、算出部２３は、第１状態Ｍ１に遷移する。このとき、算出部２３は、時間帯が切り替わったと判断する。
【０１５６】
時間帯の切り替え時刻を一定の時刻に設定した場合には、測定者の生活習慣が日によって変化する場合に、適切な代表値が算出されないことがある。例えば、５時から１４時までの時間が朝の時間帯として設定された場合に、測定者が、就寝前の血圧の測定を６時から行い、起床後の血圧の測定を１３時から行った場合、６時からの測定結果と１３時からの測定結果の両方が、朝の時間帯の測定結果として処理される。この場合、１３時の測定結果が、起床後の測定結果として代表値に反映されないことがある。
【０１５７】
本変形例では、１回目の測定から所定の時間（ここでは６時間）が経過すると、時間帯が切替わったと判断される。このため、例えば、就寝前の血圧の測定が６時から行われ、起床後の血圧の測定が１３時から行われた場合には、１回目の測定から６時間後の１２時が、時間帯の切り替え時刻として設定され、６時からの測定結果は、特定の時間帯における血圧の代表値に反映される。そして、１３時からの測定結果は、次の時間帯における血圧の代表値に反映される。
【０１５８】
このように、本変形例によれば、測定情報に基づいて単位測定期間を設定することにより、測定者の生活習慣が一定でない場合においても、起床時の測定値のような有用な測定結果が適切に反映された、血圧の代表値を算出することができる。
【０１５９】
２．８  第１実施形態の第３変形例
第１実施形態に係る第３変形例について、以下に説明する。なお、以下では、上記実施形態と同様の構成要素に関しては同様の符号を用い、上記実施形態と同様の点については、適宜説明を省略した。
【０１６０】
図１２は、本変形例に係る血圧処理回路２０における、設定部２２及び算出部２３による代表値算出処理の手順の一例を模式的に示す図である。
【０１６１】
本変形例では、取得部２１は、測定者の測定情報に加えて、測定者の睡眠情報を取得する。例えば、取得部２１は、制御部１１から睡眠状態を取得し、その睡眠状態に基づいて、睡眠情報を取得することができる。睡眠状態は、例えば、制御部１１が、加速度センサ１７又は別途追加した他のセンサによる測定結果に基づいて、検出する。また、睡眠情報は、携帯端末３０の目覚ましアプリケーション等の起動状態及び終了状態に基づいて、簡易的に生成されてもよい。睡眠情報は、例えば、測定者の睡眠開始時間と起床時間（睡眠終了時間）とを含む。
【０１６２】
設定部２２は、単位測定期間の設定において、睡眠情報に基づいて、時間帯の切り替え時刻を設定する。設定部２２は、起床時間から１時間後の時刻を、特定の時間帯の終了時刻として設定する。算出部２３は、特定の時間帯の終了時刻となったことに基づいて、特定の時間帯が終了したと判断する。特定の時間帯は、第１の単位測定期間の一例である。
【０１６３】
本変形例における、特定の単位測定期間における代表値算出処理では、第２状態Ｍ２において、取得部２１において測定情報が取得されない状態で、かつ、第１測定時刻から１０分以内に、起床時間から１時間が経過すると、算出部２３は、第２状態Ｍ２から第８状態Ｍ８に遷移する。このとき、算出部２３は、朝の時間帯が終了したと判断する。
【０１６４】
第３状態Ｍ３において、取得部２１において測定情報が取得されない状態で、かつ、第１測定時刻から１０分以内に、起床時間から１時間が経過すると、算出部２３は、第３状態Ｍ３から第７状態Ｍ７に遷移する。このとき、算出部２３は、朝の時間帯が終了したと判断する。算出部２３は、特定の時間帯における第１測定情報及び第２測定情報がメモリ２０ｂに記憶された状態で、第７状態Ｍ７に遷移する。
【０１６５】
第４状態Ｍ４において、取得部２１において測定情報が取得されない状態で、起床時間から１時間が経過すると、算出部２３は、第４状態Ｍ４から第８状態Ｍ８に遷移する。このとき、算出部２３は、朝の時間帯が終了したと判断する。
【０１６６】
第５状態Ｍ５において、取得部２１において測定情報が取得されない状態で、かつ、第２測定時刻から１０分以内に、起床時間から１時間が経過すると、算出部２３は、第５状態Ｍ５から第７状態Ｍ７に遷移する。このとき、算出部２３は、朝の時間帯が終了したと判断する。算出部２３は、特定の時間帯における第１測定情報及び第２測定情報がメモリ２０ｂに記憶された状態で、第７状態Ｍ７に遷移する。
【０１６７】
第６状態Ｍ６又は第７状態Ｍ７において、代表値を算出すると即時に、算出部２３は、第８状態Ｍ８に遷移する。このとき、算出部２３は、朝の時間帯が終了したと判断する。
【０１６８】
第８状態Ｍ８では、算出部２３は、取得部２１において取得した睡眠情報に基づいて、測定者が起床したか否かを判定する。第８状態Ｍ８において、測定者が起床したと判定した場合、算出部２３は、第８状態Ｍ８から第１状態Ｍ１に遷移する。
【０１６９】
本変形例では、起床時刻が取得され、起床時刻に基づいて、特定の単位測定期間が終了したと判断される。このため、本変形例では、起床時刻に基づいて、単位測定期間を設定することにより、測定者の生活習慣が一定でない場合においても、起床後の測定値のような有用な測定結果を容易に特定することができる。これにより、起床後の測定値のような有用な測定結果が適切に反映された、血圧の代表値を算出することができる。
【０１７０】
なお、本変形例においても、第１単位測定期間に加えて第２単位測定期間が設けられても良い。この場合、例えば、起床時刻から６時間後の時刻が、第２単位測定期間の開始時刻として設定され、睡眠開始時刻が、第２単位測定期間の終了時刻として設定される。あるいは、起床後の１回目の測定から６時間後の時刻が、第２単位測定期間の開始時刻として設定されてもよい。
【０１７１】
また、例えば、第３変形例と第１実施形態とを組み合わせて、起床時間から１２時間までを第１の単位測定期間、起床時間から１２時間経過後から第２の単位測定期間とする等、第１実施形態及び各変形例は、任意に組み合わせても良い。
【０１７２】
３．  第２の実施形態
上述の適用例に係る血圧管理装置の第２実施形態について、以下に説明する。以下では、血圧管理装置の一例としての血圧測定装置を含む血圧処理システムについて説明する。なお、以下では、第１実施形態と同様の構成要素に関しては同様の符号を用い、第１実施形態と同様の点については、適宜説明を省略した。
【０１７３】
本実施形態に係る血圧処理システムは、測定者から測定された血圧値を用いて、血圧の代表値を単位測定期間ごとに算出し、算出された代表値を保存又は提示するシステムである。本実施形態に係る血圧処理システムは、１回〜３回の測定結果を用いて、特定の単位測定期間における代表値の算出を行うことが推奨された地域において使用されることを想定している。本実施形態に係る血圧処理システムは、例えば、日本等において使用されることを想定している。
【０１７４】
図１３は、本実施形態に係る血圧処理回路２０における、設定部２２及び算出部２３による代表値算出処理の手順の一例を模式的に示す図である。
【０１７５】
本実施形態では、第２状態Ｍ２において、取得部２１において測定情報が取得されない状態で、かつ、第１測定時刻から１０分以内に、０時または１２時になると、算出部２３は、第２状態Ｍ２から第７状態Ｍ７に遷移する。このとき、算出部２３は、時間帯が切り替わったと判断する。
【０１７６】
第４状態Ｍ４において、取得部２１において測定情報が取得されない状態で、０時または１２時になると、算出部２３は、第４状態Ｍ４から第７状態Ｍ７に遷移する。このとき、算出部２３は、時間帯が切り替わったと判断する。
【０１７７】
例えば、図９の一例のパターン７では、朝の時間帯において１回の血圧の測定が行われている。１回目の測定は、０７：００から０７：３０までの時間に行われている。この場合、算出部２３は、第１状態Ｍ１、第２状態Ｍ２、第７状態Ｍ７の順に遷移する。第７状態Ｍ７での代表値の算出では、１回目の測定による測定結果が、朝の時間帯についての血圧の代表値に反映される。
【０１７８】
前述のように、本実施形態は、１回以上の測定結果を用いて、特定の単位測定期間における代表値の算出を行うことが推奨された地域において使用されることを想定している。本実施形態によれば、特定の単位測定期間において血圧測定が１回のみ行われた場合においても、血圧の代表値の算出が行われる。これにより、血圧値について、測定回数の規定に準じた代表値を得ることができる。
【０１７９】
本実施形態においても、上記第１実施形態において説明した各変形例と同様の単位測定期間の設定が可能なことは勿論である。
【０１８０】
４．  第３の実施形態
上述の適用例に係る血圧管理装置の第３実施形態について、以下に説明する。以下では、血圧管理装置の一例としての血圧測定装置を含む血圧処理システムについて説明する。なお、以下では、第１実施形態と同様の構成要素に関しては同様の符号を用い、第１実施形態と同様の点については、適宜説明を省略した。
【０１８１】
本実施形態では、プロセッサ２０ａは、記憶された過去の測定結果を用いて、特定の単位測定期間について、血圧の代表値を算出する。例えば、プロセッサ２０ａは、代表値算出処理の開始指示が伝達されたことに基づいて、特定の単位測定期間についての代表値算出処理を開始する。このとき、代表値算出の開始指示は、例えば、操作部１４において操作が入力されることに基づいて、制御部１１から伝達される。特定の単位測定期間は、例えば、操作部１４において入力される。
【０１８２】
あるいは、プロセッサ２０ａは、代表値算出処理を定期的に行ってもよい。プロセッサ２０ａによる代表値算出処理は、例えば、１日に１回の間隔で行われる。この場合、プロセッサ２０ａは、前回の代表値算出処理から現在までの１日分の測定情報を取得し、この期間内の各単位測定期間について、代表値算出処理を行う。代表値算出処理は、例えば、１週間に１回の間隔で行われてもよい。
【０１８３】
図１４は、本実施形態に係る血圧処理回路２０における、代表値算出処理の手順の一例を示すフローチャートである。
【０１８４】
図１４に示すように、特定の単位測定期間についての代表値算出処理では、プロセッサ２０ａは、まず、設定情報及び測定情報を取得する（Ｓ１０１）。取得した情報は、例えば、メモリ２０ｂに記憶される。測定情報は、１つ以上の測定結果を含む。測定結果は、測定値及び測定時刻を含む。設定情報は、特定の単位測定期間についての開始時刻及び終了時刻等を含む。
【０１８５】
次に、プロセッサ２０ａは、各測定結果の測定時刻、及び、特定の単位測定期間についての設定情報に基づいて、特定の単位測定期間内における測定結果を抽出する（Ｓ１０２）。このとき、プロセッサ２０ａは、各測定結果について、測定時刻が特定の単位測定期間内に含まれるか否かを判断することにより、各測定結果が特定の単位測定期間における測定結果であるか否かを判断する。
【０１８６】
次に、プロセッサ２０ａは、特定の単位測定期間における測定結果の数が３つ以上であるか否かを判断する（Ｓ１０３）。これにより、プロセッサ２０ａは、単位測定期間における測定の回数が３回以上であるか否かを判断する。
【０１８７】
特定の単位測定期間における測定結果の数が２つ以下である場合（Ｓ１０３−Ｎｏ）、プロセッサ２０ａは、単位測定期間における測定の回数が２回以下であると判断する。この場合、プロセッサ２０ａは、特定の単位測定期間における測定結果の数が２つであるか否かを判断する（Ｓ１０４）。
【０１８８】
特定の単位測定期間における測定結果の数が２つでない場合（Ｓ１０４−Ｎｏ）、プロセッサ２０ａは、単位測定期間における測定の回数が１回又は０回であると判断する。この場合、プロセッサ２０ａは、単位測定期間における測定の回数が規定数を満たさないと判断し、血圧の代表値を算出しない（Ｓ１０５）。
【０１８９】
特定の単位測定期間における測定結果の数が２つである場合（Ｓ１０４−Ｙｅｓ）、プロセッサ２０ａは、単位測定期間における測定の回数が２回であると判断する。この場合、プロセッサ２０ａは、測定時刻に基づいて、特定の単位測定期間における各測定結果が、１回目の測定結果及び２回目の測定結果のいずれであるかを特定する。１回目の測定結果は、第１測定値及び第１測定時刻を含み、２回目の測定結果は、第２測定値及び第２測定時刻を含む。そして、プロセッサ２０ａは、第１測定値及び第２測定値を用いて、血圧の代表値を算出する（Ｓ１０６）。
【０１９０】
特定の単位測定期間における測定結果の数が３つ以上である場合（Ｓ１０３−Ｙｅｓ）、プロセッサ２０ａは、単位測定期間における測定の回数が３回以上であると判断する。この場合、プロセッサ２０ａは、測定時刻に基づいて、特定の単位測定期間における各測定結果の中から、１回目の測定結果、２回目の測定結果及び３回目の測定結果を特定する。１回目の測定結果は、第１測定値及び第１測定時刻を含み、２回目の測定結果は、第２測定値及び第２測定時刻を含む。また、３回目の測定結果は、第３測定値及び第３測定時刻を含む。
【０１９１】
次に、プロセッサ２０ａは、第２測定時刻及び第３測定時刻の差が１０分以内であるか否かを判断する（Ｓ１０７）。「１０分」は「１機会」の一例である。
【０１９２】
第２測定時刻及び第３測定時刻の差が１０分より大きい場合（Ｓ１０７−Ｎｏ）、プロセッサ２０ａは、２回目の測定と３回目の測定が同一機会に行われていないと判断する。この場合、プロセッサ２０ａは、第１測定値及び第２測定値を用いて、血圧の代表値を算出する（Ｓ１０６）。
【０１９３】
第２測定時刻及び第３測定時刻の差が１０分以内である場合（Ｓ１０７−Ｙｅｓ）、プロセッサ２０ａは、２回目の測定と３回目の測定が同一機会に行われたと判断する。この場合、プロセッサ２０ａは、第１測定値、第２測定値及び第３測定値を用いて、血圧の代表値を算出する（Ｓ１０８）。
【０１９４】
プロセッサ２０aは、上述の代表値算出処理を、例えば、前回の代表値算出処理から今回の代表値算出処理までの期間に含まれる単位測定期間の全てについて、行う。
【０１９５】
本実施形態では、血圧処理回路２０による代表値算出処理は、過去の測定情報を読み出すことにより行われる。このため、本実施形態によれば、測定者は、任意のタイミングで、任意の単位測定期間における血圧の代表値を知ることができる。
【０１９６】
５．  実施形態等の共通構成
血圧管理装置（１：２０）は、血圧の測定によって得られる測定値を取得する取得部（２：２１）と、血圧の変動特性に基づいて、複数の機会を含む単位測定期間を設定する設定部（３：２２）と、前記測定値に基づいて、前記単位測定期間についての前記血圧の代表値を算出する算出部（４：２３）であって、前記単位測定期間内において、２回目の測定が１回目の測定とは異なる機会に行われた場合に、前記１回目の測定により得られた第１測定値と前記２回目の測定により得られた第２測定値の両方を用いて、前記単位測定期間についての前記代表値を算出する、算出部（４：２３）と、を備える。
【０１９７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【０１９８】
［付記］
前記実施形態の一部または全部は、特許請求の範囲のほか以下の付記に示すように記載することも可能であるが、これに限られない。
【０１９９】
（付記１）
ハードウェアプロセッサとメモリとを有する血圧管理装置であって、
前記ハードウェアプロセッサが、
センサによる血圧の測定によって得られる測定値を取得して前記メモリに記憶させ、
血圧の変動特性に基づいて設定された複数の機会を含む単位測定期間の設定を前記メモリに記憶させ、
前記メモリに記憶された前記単位測定期間内において、２回目の測定が１回目の測定とは異なる機会に行われた場合に、前記１回目の測定により得られて前記メモリに記憶された第１測定値と前記２回目の測定により得られ前記メモリに記憶された第２測定値の両方を用いて、前記単位測定期間についての血圧値の代表値を算出する、
血圧管理装置。
【０２００】
（付記２）
ハードウェアプロセッサとメモリとを有する装置が実行する血圧管理方法であって、
前記ハードウェアプロセッサが、センサによる血圧の測定によって得られる測定値を取得して前記メモリに記憶させる過程と、
前記ハードウェアプロセッサが、血圧の変動特性に基づいて設定された複数の機会を含む単位測定期間の設定を前記メモリに記憶させる過程と、
前記ハードウェアプロセッサが、前記メモリに記憶された前記単位測定期間内において、２回目の測定が１回目の測定とは異なる機会に行われた場合に、前記１回目の測定により得られて前記メモリに記憶された第１測定値と前記２回目の測定により得られ前記メモリに記憶された第２測定値の両方を用いて、前記単位測定期間についての血圧値の代表値を算出する過程と、
を具備する血圧管理方法。
【符号の説明】
【０２０１】
１…血圧管理装置、  ２…取得部、  ３…設定部、  ４…算出部、  ５…出力部、  １０…血圧測定装置、  １１…制御部、  １２…記憶部、  １３…通信部、  １４…操作部、  １５…表示部、  １６…血圧センサ、  １７…加速度センサ、  １８…温湿度センサ、  ２０…血圧処理回路、  ２０ａ…プロセッサ、  ２０ｂ…メモリ、  ２１…取得部、  ２２…設定部、  ２３…算出部、  ２４…出力部、  ２６…血圧情報、  ２７…設定情報、  ３０…携帯端末、  ３１…制御部、  ３２…記憶部、  ３３…通信部、  ３４…操作部、  ３５…表示部、  ３６…ＧＰＳ受信機、  ５０…医師端末、  ５１…制御部、  ５２…記憶部、  ５３…通信部、  ５４…操作部、  ５５…表示部、  ７０…サーバ、  ７１…制御部、  ７２…記憶部、  ７３…通信部。
【図１】
2019201992.tif 000003
【図２】
2019201992.tif 000004
【図３】
2019201992.tif 000005
【図４】
2019201992.tif 000006
【図５】
2019201992.tif 000007
【図６】
2019201992.tif 000008
【図７】
2019201992.tif 000009
【図８】
2019201992.tif 000010
【図９】
2019201992.tif 000011
【図１０】
2019201992.tif 000012
【図１１】
2019201992.tif 000013
【図１２】
2019201992.tif 000014
【図１３】
2019201992.tif 000015
【図１４】
2019201992.tif 000016